【手続補正書】
【提出日】平成28年6月21日(2016.6.21)
【手続補正１】
【補正対象書類名】特許請求の範囲
【補正対象項目名】全文
【補正方法】変更
【補正の内容】
【特許請求の範囲】
【請求項１】
発光部の照射方向を変更させるために当該発光部を備えた可動部を自動で駆動させることが可能な照明装置と、撮像装置とを含むカメラシステムであって、
前記発光部により照射される照射位置を設定する設定手段と、
撮影準備動作を開始させるための操作を受け付ける操作手段と、
前記可動部の駆動制御を行う制御手段と、を有し、
前記制御手段は、前記操作手段が撮影準備動作を開始させるための操作を受け付けているときは、前記発光部で前記設定された照射位置を照射させるための前記可動部の駆動制御を行い、前記操作手段が撮影準備動作を開始させるための操作を受け付けていないときは、前記発光部で前記設定された照射位置を照射させるための前記可動部の駆動制御を行わないことを特徴とするカメラシステム。
【請求項２】
前記照明装置または前記撮像装置の姿勢情報を検出する姿勢検出手段を有し、
前記制御手段は、前記操作手段が撮影準備動作を開始させるための操作を受け付けているときは、前記姿勢検出手段の検出結果に基づいて前記発光部で前記設定された照射位置を照射させるための前記可動部の駆動制御を行うことを特徴とする請求項１に記載のカメラシステム。
【請求項３】
前記制御手段は、前記操作手段が撮影準備動作を開始させるための操作を受け付けているときは、前記姿勢検出手段により検出された姿勢情報の変化量が所定値以上であれば前記発光部で前記設定された照射位置を照射させるための前記可動部の駆動制御を行うことを特徴とする請求項２に記載のカメラシステム。
【請求項４】
被写体の距離情報を検出する距離検出手段を有し、
前記設定手段は、前記操作手段が撮影準備動作を開始させるための操作を受け付けているときは、前記距離検出手段の検出結果に基づいて前記発光部により照射される照射位置を設定することを特徴とする請求項１ないし３のいずれか１項に記載のカメラシステム。
【請求項５】
前記設定手段は、前記操作手段が撮影準備動作を開始させるための操作を受け付けているときは、前記距離検出手段により検出された距離情報の変化量が所定値以上であれば前記発光部により照射される照射位置を新たに設定することを特徴とする請求項４に記載のカメラシステム。
【請求項６】
発光部の照射方向を変更させるために当該発光部を備えた可動部を本体部に対して自動で回動させることが可能な照明装置と、撮像装置とを含むカメラシステムであって、
姿勢に関する情報を取得する取得手段と、
撮影準備動作を開始させるための操作手段と、
前記操作手段を操作されている期間における前記取得手段により取得された前記姿勢に関する情報の変化に応じて前記可動部を回動させるように制御手段と、を有することを特徴とするカメラシステム。
【請求項７】
発光部の照射方向を変更させるために当該発光部を備えた可動部を自動で駆動させることが可能な照明装置を用いた撮影を行う撮像装置であって、
前記発光部により照射される照射位置を設定する設定手段と、
撮影準備動作を開始させるための操作を受け付ける操作手段と、
前記可動部の駆動制御を行う制御手段と、を有し、
前記制御手段は、前記操作手段が撮影準備動作を開始させるための操作を受け付けているときは、前記発光部で前記設定された照射位置を照射させるための前記可動部の駆動制御を行い、前記操作手段が撮影準備動作を開始させるための操作を受け付けていないときは、前記発光部で前記設定された照射位置を照射させるための前記可動部の駆動制御を行わないことを特徴とする撮像装置。
【請求項８】
発光部の照射方向を変更させるために当該発光部を備えた可動部を本体部に対して自動で回動させることが可能な照明装置を用いた撮影を行う撮像装置であって、
姿勢に関する情報を取得する取得手段と、
撮影準備動作を開始させるための操作手段と、
前記操作手段を操作されている期間における前記取得手段により取得された前記姿勢に関する情報の変化に応じて前記可動部を回動させるように、前記照明装置に指示する制御手段と、を有することを特徴とする撮像装置。
【請求項９】
撮像装置に着脱可能に装着される照明装置であって、
発光部と、
前記発光部を備え、本体部に対して回動可能に保持される可動部と、
前記発光部により照射される照射位置を設定する設定手段と、
前記可動部の駆動制御を行う制御手段と、を有し、
前記制御手段は、装着された撮像装置が撮影準備動作を開始させるための操作を受け付けているときは、前記発光部で前記設定された照射位置を照射させるための前記可動部の駆動制御を行い、装着された撮像装置が撮影準備動作を開始させるための操作を受け付けていないときは、前記発光部で前記設定された照射位置を照射させるための前記可動部の駆動制御を行わないことを特徴とする照明装置。
【請求項１０】
撮像装置に着脱可能に装着される照明装置であって、
発光部と、
前記発光部を備え、本体部に対して回動可能な可動部と、
姿勢に関する情報を取得する取得手段と、
前記本体部に対して前記可動部を回動させる駆動手段と、
装着された撮像装置が撮影準備動作を開始させるための操作手段を操作されている期間における前記取得手段により取得された前記姿勢に関する情報の変化に応じて、前記駆動手段により前記可動部を回動させる制御手段と、を有することを特徴とする照明装置。
【請求項１１】
前記制御手段は、前記取得手段により取得された前記姿勢に関する情報の変化に応じた回動角度に基づいて、前記駆動手段により前記可動部を回動させることを特徴とする請求項１０に記載の照明装置。
【請求項１２】
前記制御手段は、前記取得手段により取得された前記姿勢に関する情報の変化前の前記発光部の照射方向と記取得手段により取得された前記姿勢に関する情報の変化後の前記発光部の照射方向とが等しくなるように、前記駆動手段により前記可動部を回動させることを特徴とする請求項１０に記載の照明装置。
【請求項１３】
前記制御手段は、前記撮像装置が前記操作手段を操作されていない期間は、前記取得手段により取得された前記姿勢に関する情報の変化に応じて前記駆動手段により前記可動部を回動させないことを特徴とする請求項１０ないし１２のいずれか１項に記載の照明装置。
【請求項１４】
モード設定手段を有し、
前記制御手段は、前記モード設定手段により所定のモードが設定されている場合、前記撮像装置が前記操作手段を操作されている期間における前記取得手段により取得された前記姿勢に関する情報の変化に応じて、前記駆動手段により前記可動部を回動させることを特徴とする請求項１０ないし１３のいずれか１項に記載の照明装置。
【請求項１５】
発光部の照射方向を変更させるために当該発光部を備えた可動部を自動で駆動させることが可能な照明装置と、撮像装置とを含むカメラシステムの制御方法であって、
前記発光部により照射される照射位置を設定する設定ステップと、
前記可動部の駆動制御を行う制御ステップと、を有し、
前記制御ステップは、操作手段が撮影準備動作を開始させるための操作を受け付けているときは、前記発光部で前記設定された照射位置を照射させるための前記可動部の駆動制御を行い、前記操作手段が撮影準備動作を開始させるための操作を受け付けていないときは、前記発光部で前記設定された照射位置を照射させるための前記可動部の駆動制御を行わないことを特徴とする制御方法。
【請求項１６】
発光部の照射方向を変更させるために当該発光部を備えた可動部を本体部に対して自動で回動させることが可能な照明装置と、撮影準備動作を開始させるための操作手段を有する撮像装置とを含むカメラシステムの制御方法であって、
姿勢に関する情報を取得する取得ステップと、
前記操作手段を操作されている期間における前記取得ステップで取得された前記姿勢に関する情報の変化に応じて前記可動部を回動させるように制御ステップと、を有することを特徴とする制御方法。
【請求項１７】
発光部の照射方向を変更させるために当該発光部を備えた可動部を自動で駆動させることが可能な照明装置を用いた撮影を行う撮像装置の制御方法であって、
前記発光部により照射される照射位置を設定する設定ステップと、
前記可動部の駆動制御を行う制御ステップと、を有し、
前記制御ステップは、操作手段が撮影準備動作を開始させるための操作を受け付けているときは、前記発光部で前記設定された照射位置を照射させるための前記可動部の駆動制御を行い、前記操作手段が撮影準備動作を開始させるための操作を受け付けていないときは、前記発光部で前記設定された照射位置を照射させるための前記可動部の駆動制御を行わないことを特徴とする制御方法。
【請求項１８】
発光部の照射方向を変更させるために当該発光部を備えた可動部を本体部に対して自動で回動させることが可能な照明装置を用いた撮影を行う撮像装置の制御方法であって、
姿勢に関する情報を取得する取得ステップと、
撮影準備動作を開始させるための操作手段を操作されている期間における前記取得ステップで取得された前記姿勢に関する情報の変化に応じて前記可動部を回動させるように、前記照明装置に指示する制御ステップと、を有することを特徴とする制御方法。
【請求項１９】
発光部と、前記発光部を備え本体部に対して回動可能に保持される可動部と、を有し撮像装置に着脱可能に装着される照明装置の制御方法であって、
前記発光部により照射される照射位置を設定する設定ステップと、
前記可動部の駆動制御を行う制御ステップと、を有し、
前記制御ステップは、装着された撮像装置が撮影準備動作を開始させるための操作を受け付けているときは、前記発光部で前記設定された照射位置を照射させるための前記可動部の駆動制御を行い、装着された撮像装置が撮影準備動作を開始させるための操作を受け付けていないときは、前記発光部で前記設定された照射位置を照射させるための前記可動部の駆動制御を行わないことを特徴とする制御方法。
【請求項２０】
発光部と、前記発光部を備え本体部に対して回動可能な可動部と、前記本体部に対して前記可動部を回動させる駆動手段と、を有し撮像装置に着脱可能に装着される照明装置の制御方法であって、
姿勢に関する情報を取得する取得ステップと、
装着された撮像装置が撮影準備動作を開始させるための操作手段を操作されている期間における前記取得ステップで取得された前記姿勢に関する情報の変化に応じて、前記駆動手段により前記可動部を回動させる制御ステップと、を有することを特徴とする制御方法。